(57)【要約】【課題】作業効率を向上させることができるようにする。【解決手段】標本Ｓの観察を行う観察状態においては、キャップ１０１Ａを、開口端面１１１ｂ側から顕微鏡本体２１に嵌め込んで、顕微鏡本体２１の先端側から開口端面１１１ｃが突出した状態にすることにより、その開口端面１１１ｃが標本Ｓと接触するので、標本Ｓに対する顕微鏡本体２１の姿勢が保持され、標本面に焦点が固定される（図５ａ）。一方、格納状態においては、キャップ１０１Ａを、開口端面１１１ｃ側から顕微鏡本体２１に嵌め込んで、開口端面１１１ｂを顕微鏡本体２１の先端面の近傍付近に固定することにより、キャップ１０１Ａが格納される（図５ｂ）。本発明は、例えば、標本の観察に必要な機能を全て備え、それ単独で使用可能となる本体筐体を備える顕微鏡に適用することができる。【選択図】図５
2011022298.tif 000002
【特許請求の範囲】
【請求項１】
対物レンズと、前記対物レンズからの観察光を結像する結像光学系、及び前記結像光学系により結像された標本の像を撮像する撮像手段を収納する本体筐体と、
前記標本との接触により前記本体筐体の姿勢を保持する姿勢保持部材と、
前記姿勢保持部材の前記本体筐体への格納と、前記本体筐体から前記姿勢保持部材を突出させた状態とを切り替える切り替え部材と
を備えることを特徴とする顕微鏡。
【請求項２】
前記姿勢保持部材は、前記対物レンズ側の先端に装着される中空円筒の形状からなる部材であって、
前記姿勢保持部材の前記対物レンズの光軸方向の移動を制限する制限部材を有する
ことを特徴とする請求項１に記載の顕微鏡。
【請求項３】
前記姿勢保持部材は、前記対物レンズ側の先端に着脱自在に装着され、その先端に装着される開口端面の向きに応じて、前記本体筐体の姿勢を保持するか、又は前記本体筐体に格納される
ことを特徴とする請求項２に記載の顕微鏡。
【請求項４】
前記姿勢保持部材は、前記本体筐体の外周面に沿って前記光軸方向に移動することにより、前記本体筐体の姿勢を保持するか、又は前記本体筐体に格納される
ことを特徴とする請求項２に記載の顕微鏡。
【請求項５】
前記姿勢保持部材は、前記対物レンズ側の先端方向に移動可能な部材であって、前記先端方向に移動することで、前記本体筐体の姿勢を保持する
ことを特徴とする請求項１に記載の顕微鏡。
【請求項６】
前記姿勢保持部材は、前記対物レンズの光軸方向に移動可能な部材であって、前記対物レンズの光軸方向の移動が制限されることで、前記本体筐体の姿勢を保持するか、又は前記本体筐体に格納される
ことを特徴とする請求項１に記載の顕微鏡。
【発明の詳細な説明】
【技術分野】
【０００１】
本発明は、顕微鏡に関する。
【背景技術】
【０００２】
デジタルマイクロスコープと呼ばれる顕微鏡が知られている。デジタルマイクロスコープでは、その本体筐体には、対物レンズ等からなる光学系と、光学系により導かれた標本からの観察光を撮像するCCD（Charge Coupled Devices）とが設けられている。
【０００３】
また、この種の顕微鏡では、例えば、本体筐体をスタンドから取り外して使用するものがあり、この場合、本体筐体を把持しながら標本面と対物レンズとの距離の調整を行うと、その距離を一定に保つのが難しく、焦点を合わせるのが困難であるため、姿勢保持用の機器を用いて本体筐体の姿勢を保持し、距離を一定に保っている（例えば、特許文献１参照）。
【先行技術文献】
【特許文献】
【０００４】
【特許文献１】特開平８−１２２９１３号公報
【発明の概要】
【発明が解決しようとする課題】
【０００５】
しかしながら、従来の方法であると、例えば、本体筐体をスタンドから取り外して使用する場合、姿勢保持用の機器を別途用意して、本体筐体に取り付ける必要があったため、作業性が悪いという問題があった。また、スタンドに対して着脱するタイプではなく、それ単独で使用するデジタルマイクロスコープの場合、観察時の標本と対物レンズとの間隔は様々であり、間隔の調整には上記と同様の作業性の問題があった。
【０００６】
本発明はこのような状況に鑑みてなされたものであり、デジタルマイクロスコープと標本との間隔調整の作業効率を向上させることができるようにするものである。
【課題を解決するための手段】
【０００７】
本発明の顕微鏡は、対物レンズと、前記対物レンズからの観察光を結像する結像光学系、及び前記結像光学系により結像された標本の像を撮像する撮像手段を収納する本体筐体と、前記標本との接触により前記本体筐体の姿勢を保持する姿勢保持部材と、前記姿勢保持部材の前記本体筐体への格納と、前記本体筐体から前記姿勢保持部材を突出させた状態とを切り替える切り替え部材とを備える。
【発明の効果】
【０００８】
本発明によれば、作業効率を向上させることができる。
【図面の簡単な説明】
【０００９】
【図１】本発明を適用した顕微鏡観察システムの一実施の形態の構成例を示す構成図である。
【図２】顕微鏡本体の正面図、平面図、左側面図、及び右側面図である。
【図３】顕微鏡本体の光学系の構成を示す図である。
【図４】本発明の第１実施例の構成を示す側面図である。
【図５】本発明の第１実施例の観察状態と格納状態を示す図である。
【図６】キャップの形状の例を示す図である。
【図７】キャップの形状の例を示す図である。
【図８】キャップの形状の例を示す図である。
【図９】本発明の第２実施例の構成を示す側面図である。
【図１０】本発明の第２実施例の観察状態と格納状態を示す図である。
【図１１】キャップの形状の例を示す図である。
【図１２】キャップの形状の例を示す図である。
【図１３】本発明の第３実施例の構成を示す側面図である。
【図１４】本発明の第３実施例の観察状態と格納状態を示す図である。
【図１５】キャップの形状の例を示す図である。
【図１６】本発明の第３実施例の他の構成を示す図である。
【図１７】本発明の第３実施例の他の構成を示す図である。
【図１８】本発明の第４実施例の構成を示す側面図である。
【図１９】本発明の第４実施例の観察状態と格納状態を示す図である。
【図２０】本発明の第５実施例の構成を示す図である。
【図２１】本発明の第５実施例の観察状態と格納状態を示す図である。
【図２２】本発明の第５実施例の他の構成を示す図である。
【図２３】本発明の第５実施例の他の構成を示す図である。
【図２４】本発明の第６実施例の構成を示す図である。
【図２５】本発明の第６実施例の観察状態と格納状態を示す図である。
【図２６】スペーサの形状の例を示す図である
【図２７】本発明の第６実施例の他の構成を示す図である。
【図２８】本発明の第６実施例の他の構成を示す図である。
【図２９】本発明の第６実施例の他の構成を示す図である。
【発明を実施するための形態】
【００１０】
以下、図面を参照しながら本発明の実施の形態について説明する。
【００１１】
図１は、本発明を適用した顕微鏡観察システムの一実施の形態の構成例を示す構成図である。
【００１２】
図１の顕微鏡観察システムは、観察対象となる標本Ｓを拡大した画像（観察像）を取得する顕微鏡１１と、顕微鏡１１が取得した標本Ｓの画像を表示するモニタ１２とが接続されて構成されており、例えば、顕微鏡１１のステージ上に載置された標本Ｓの観察に使用される。また、顕微鏡観察システムは、顕微鏡本体２１をスタンド２２から取り外して使用することができる。
【００１３】
すなわち、顕微鏡１１は、標本Ｓの拡大像を取得するための光学系や撮像素子、各部を制御する電気系などが設けられた顕微鏡本体２１と、モニタ１２に接続されているスタンド２２とから構成されており、顕微鏡本体２１がスタンド２２に対して着脱可能で、顕微鏡本体２１単独で標本Ｓの画像を取得することができるように構成されている。モニタ１２は、顕微鏡本体２１が取得した標本Ｓの画像や、顕微鏡本体２１のズーム倍率や照明光の光量などの観察条件に関する各種の情報などを表示する。例えば、検鏡者は、顕微鏡本体２１がスタンド２２に装着された状態でステージ上の標本Ｓの観察を行い、顕微鏡本体２１がスタンド２２から取り外された状態でも標本Ｓの観察を行える。なお、図１では、顕微鏡本体２１がスタンド２２から取り外された状態が示されている。
【００１４】
顕微鏡本体２１は、光軸Ｌ１を中心とした円筒形状の本体部３１、表示部や操作部などを有する表示操作部３２、及びスタンド２２から取り外されたときに検鏡者が顕微鏡本体２１を把持するのに利用するグリップ３３を備えて構成される。この顕微鏡本体２１の正面図、平面図、左側面図、及び右側面図を図示すると、図２に示すようになる。
【００１５】
すなわち、顕微鏡本体２１は、グリップ３３を把持する検鏡者によって、本体部３１の先端側が標本Ｓに向けられた状態で、グリップ３３に配設された撮像ボタン４１が操作されると、撮像が開始され、撮像された標本Ｓの画像データが、本体部３１に装着されたメモリカードなどの記録媒体（不図示）に記録される。
【００１６】
ここで、図３を参照して、顕微鏡本体２１の内部の構造について説明する。図３では、顕微鏡本体２１内に配置された、標本Ｓの拡大像を取得するための光学系や撮像素子を図示するため、顕微鏡本体２１の一部を断面で示している。
【００１７】
図３に示すように、本体部３１の内部には、先端側（図３の左側）から後端側（図３の右側）に向かって、対物レンズ６１、ズームレンズ６２ａないし６２ｄ、結像レンズ６３、及びCCD（Charge Coupled Device）などの撮像素子６４が、光軸Ｌ１に沿って配置されている。
【００１８】
標本Ｓの観察時には、本体部３１の先端側が標本Ｓに向けられて観察が行われる。標本Ｓからの観察光は、対物レンズ６１を介して本体部３１の内部に導入され、ズームレンズ６２ａないし６２ｄにより所定の倍率に拡大された後、結像レンズ６３により撮像素子６４の受光面に標本Ｓの像が結像される。ここで、ズームレンズ６２ｂ及び６２ｃは、例えば、直動ガイド、送りねじ、及び送りねじを駆動するモータ（いずれも不図示）によって、光軸Ｌ１に沿って移動可能に構成されており、ズームレンズ６２ｂ及び６２ｃの位置を調整することにより、標本Ｓを撮像するズーム倍率が調整される。
【００１９】
また、本体部３１の先端部分には、標本Ｓに照明光を照射するLED６５が実装されており、顕微鏡本体２１では、例えば、対物レンズ６１の円周外側に沿うように、複数のLED６５が輪帯状に並んで配置されている。
【００２０】
図１に戻り、スタンド２２は、略Ｌ字状に形成されており、水平方向に広がる基部２２ａと、鉛直方向に延びる支柱部２２ｂとにより略Ｌ字状に形成されており、基部２２ａの上面に、標本Ｓが載置されるステージ５１が配設され、支柱部２２ｂのステージ５１側の側面にアーム部５２が配設されて構成されている。
【００２１】
アーム部５２は、支柱部２２ｂから延びる先端側（図１の左側）に、顕微鏡本体２１と機構的に接続される嵌合部５３と、顕微鏡本体２１と電気的に接続されるコネクタ部５４とが設けられている。顕微鏡本体２１とスタンド２２とが機構的に接続される際に、コネクタ部５４に対応する位置に配置されている顕微鏡本体２１のコネクタ部（不図示）と、コネクタ部５４とが電気的に接続される。すなわち、顕微鏡本体２１とスタンド２２とは機構的に接続されるのと同時に、電気的に接続されるように構成されている。このように、顕微鏡本体２１とスタンド２２とが電気的に接続されることで、コネクタ部５４を介して、スタンド２２から顕微鏡本体２１に電力及び制御信号が供給され、顕微鏡本体２１からスタンド２２に画像データが供給される。
【００２２】
このように、顕微鏡１１は、顕微鏡本体２１とスタンド２２とがケーブルで接続されない構成となっており、顕微鏡本体２１は、スタンド２２から取り外された状態で標本Ｓの観察に必要なブロックを全て備え、顕微鏡本体２１単独で使用することができる。
【００２３】
ところで、顕微鏡本体２１をスタンド２２から取り外して使用する場合には、焦点合わせの支援や、標本面に焦点を合わせたときの対物レンズ６１の先端から標本面までの作動距離を一定に保つ目的で、顕微鏡本体２１の姿勢を保持させる姿勢保持部材が用いられることは、先に述べた通りである。そこで、以下、本実施の形態における、姿勢保持部材の詳細について、第１実施例ないし第６実施例により説明する。
【００２４】
まず、図４ないし図８を参照して、第１実施例について説明する。
【００２５】
図４には、第１実施例として、顕微鏡本体２１の右側面図と、顕微鏡本体２１の円筒筐体の先端に取り付けられるキャップ１０１Ａの側面の断面図を図示している。また、顕微鏡本体２１とキャップ１０１Ａの左側には、それらを、顕微鏡本体２１の先端側（図４の左側）から見た場合の形状を示す正面図が図示されている。
【００２６】
図４の顕微鏡本体２１において、顕微鏡本体２１の先端付近には、その円筒筐体の外周面上に、光軸Ｌ１を中心とした円状の溝である嵌合溝７１ａが形成される。また、顕微鏡本体２１の正面図に示すように、顕微鏡本体２１の先端付近は、キャップ１０１Ａを装着しやすくするために、丸みを帯びた形状となっている。
【００２７】
キャップ１０１Ａは、光軸Ｌ１の方向（以下、単に、光軸方向という）の両端面が開口した中空円筒の形状からなり、その断面図に示すように、開口端面１１１ｂ，１１１ｃの内径寸法が顕微鏡本体２１の円筒筐体の外周面の径と略同一径とされ、その内壁面には、所定の弾性率を有する弾性部材１１１ａが設けられる。この弾性部材１１１ａは、その正面図に示すように、光軸Ｌ１を中心とした円状であって、その内径寸法が顕微鏡本体２１の先端面と略同一径となるように形成される。
【００２８】
このような形状を有しているので、顕微鏡本体２１の円筒筐体が内側、キャップ１０１Ａが外側になるように、顕微鏡本体２１の先端面に対して、キャップ１０１Ａの一方の開口端面を光軸方向に押しつけて嵌め込むことにより、キャップ１０１Ａの内壁面に設けられた弾性部材１１１ａが弾性変形し、その後、顕微鏡本体２１の嵌合溝７１ａと嵌合することになる。これにより、キャップ１０１Ａの光軸方向の移動が制限されるので、キャップ１０１Ａを、顕微鏡本体２１に固定することが可能となる。
【００２９】
なお、全ての実施の形態では、例えば、キャップである姿勢保持部材の顕微鏡本体２１への格納及び顕微鏡本体２１から突出させるために機能する部材を切り替え部材と称する。また、詳細は後述するが、姿勢保持部材が切り替え部材を兼ねるものもある。
【００３０】
図５ａは、キャップ１０１Ａを、開口端面１１１ｂ側から顕微鏡本体２１に嵌め込んだ場合の装着状態を図示している。この場合、開口端面１１１ｃを標本Ｓと接触させた状態で、その標本面に焦点が合うようにキャップ１０１Ａの高さを調整しておくことにより、対物レンズ６１の先端から標本面までの作動距離が一定に保たれる。そして、開口端面１１１ｃが標本Ｓと接触することで、標本Ｓに対する顕微鏡本体２１の姿勢が保持され、標本面に焦点を固定することが可能となる。以下、このような顕微鏡本体２１から姿勢保持部材を突出させた状態を、「観察状態」と称して説明する。
【００３１】
一方、図５ｂは、キャップ１０１Ａを、開口端面１１１ｃ側から顕微鏡本体２１に嵌め込んだ場合の装着状態を図示している。この場合、開口端面１１１ｂ側は、顕微鏡本体２１の先端面の近傍付近に固定され、図５ａの状態と比べて、いわばキャップ１０１Ａが光軸Ｌ１に沿って顕微鏡本体２１側に押し込まれたような状態となり、それらの全体としての長さが短くなる。したがって、顕微鏡本体２１をスタンド２２に固定する場合には、キャップ１０１Ａは、図５ｂの状態で固定される。以下、このような姿勢保持部材を顕微鏡本体２１に格納した状態を、「格納状態」と称して説明する。
【００３２】
このように、キャップ１０１Ａを顕微鏡本体２１に嵌め込むに際し、開口端面１１１ｂ，１１１ｃの向きを変えるだけで、観察状態と格納状態とを切り替えて使い分けることができる。
【００３３】
また、顕微鏡本体２１の円筒筐体に嵌め込むキャップ１０１は、上述した例に限らず、他の形状であってもよく、次に、図６ないし図８を参照して、その形状の一例について説明する。
【００３４】
図６に示すように、キャップ１０１Ｂは、光軸方向の両端面が開口した中空円筒の形状からなり、その断面図に示すように、開口端面１１１ｄ側の内径寸法が、顕微鏡本体２１の円筒筐体の先端面の径と略同一径とされ、開口端面１１１ｅ側の内径寸法が顕微鏡本体２１の円筒筐体外周面の径と略同一径とされる。すなわち、キャップ１０１Ｂは、光軸Ｌ１を中心として、開口端面１１１ｄ側と開口端面１１１ｅ側とでは異なる２つの内径を有している。また、この場合、顕微鏡本体２１において、その円筒筐体の先端面の径は、キャップ１０１Ｂの開口端面１１１ｄ側の内径と略同一径となる。
【００３５】
すなわち、キャップ１０１Ｂの内壁面と、顕微鏡本体２１の円筒筐体の外周面との接触面の摩擦力により、それらを固定することができるので、図６ａに示すように、キャップ１０１Ｂを、開口端面１１１ｄ側から顕微鏡本体２１に嵌め込んだ場合、キャップ１０１Ｂは観察状態となる。一方、図６ｂに示すように、キャップ１０１Ｂを、開口端面１１１ｅ側から顕微鏡本体２１に嵌め込んだ場合、キャップ１０１Ｂは格納状態となる。
【００３６】
また、接触面の摩擦力を利用する代わりに、ばね等による弾性力を利用してもよい。図７に示すように、中空円筒の形状からなるキャップ１０１Ｃは、その外周面上に嵌合溝１１１ｆを有し、顕微鏡本体２１の円筒筐体が内側、キャップ１０１Ｃが外側になるように開口端面１１１ｇ側から隙間嵌めされ、光軸方向に移動可能となっている（図７の例では、顕微鏡本体２１の円筒筐体の先端側の形状は特に加工されていない）。顕微鏡本体２１は、キャップ１０１Ｃに設けられた嵌合溝１１１ｆに対応する円筒筐体の外周面上の所定の位置にロック機構７１ｂを有しており、図中の矢印Ａの方向の力を受けているＬ字型の先端部が嵌合溝１１１ｆに嵌合することで、キャップ１０１Ａの光軸方向の移動を制限し、顕微鏡本体２１に固定することが可能となる。
【００３７】
また、ばね７１ｃは、図７ａに示すように、その一端がキャップ１０１Ｃの開口端面１１１ｇ側の所定の位置に、他端が顕微鏡本体２１の円筒筐体の外周面の所定の位置に、それぞれ固定されている。ここで、図７ａの状態から図７ｂの状態になるように、キャップ１０１Ｃを光軸Ｌ１に沿って移動させて、ロック機構７１ｂにより固定すると、ばね７１ｃは、図中の矢印Ｂの方向のばね反力を蓄えることになる。したがって、ロック機構７１ｂによるキャップ１０１Ｃの固定を解除した場合には、ばね７１ｃの反力によって、図７ｂの状態から図７ａの状態となる。
【００３８】
すなわち、キャップ１０１Ｃは、図７ａに示すように、ロック機構７１ｂによる固定が解除された場合には観察状態となり、図７ｂに示すように、ロック機構７１ｂにより固定された場合には格納状態となる。なお、図７ａの観察状態では、キャップ１０１Ｃの開口端面１１１ｈ側と標本Ｓが接触することになるが、この接触した状態で、標本Ｓに対して、開口端面１１１ｈを光軸方向に押しつけると、ばね７１ｃの反力による光軸方向の所定の力を受けながら、焦点を調整することができる。
【００３９】
また、図８に示すように、ばね７１ｃを用いる代わりに、キャップ１０１Ｃに対して、４つの嵌合溝１１１ｆ1，１１１ｆ2，１１１ｉ1，１１１ｉ2を設けて、それらの溝を、２つのロック機構７１ｂ1，７１ｂ2によって挟み込むように固定してもよい。この場合、ロック機構７１ｂ1により嵌合溝１１１ｆ1、ロック機構７１ｂ2により嵌合溝１１１ｆ2を固定したとき、キャップ１０１Ｃは観察状態（図８ａ）となり、ロック機構７１ｂ1により嵌合溝１１１ｉ1、ロック機構７１ｂ2により嵌合溝１１１ｉ2を固定したとき、キャップ１０１は格納状態（図８ｂ）となる。
【００４０】
なお、第１実施例においては、キャップ１０１を、観察状態と格納状態の両方の状態で、固定できればよく、例えばファスナやクリップ等を用いた固定方法など、その固定方法はいずれの方法を採用してもよい。また、キャップ１０１自身をばね等の弾性体から形成されるようにしてもよい。さらに、図７では、ばね７１ｃの代わりに他の弾性体を用いたり、ばね７１ｃを伸縮自在の棒に巻いてもよい。
【００４１】
以上のように、第１実施例では、顕微鏡本体２１の円筒筐体が内側、キャップ１０１が外側になるように嵌め合わせて、キャップ１０１の光軸方向の移動を制限することで、観察状態と格納状態の両方の状態を実現している。
【００４２】
次に、図９ないし図１２を参照して、第２実施例について説明する。
【００４３】
図９には、第２実施例として、顕微鏡本体２１の右側面図と、顕微鏡本体３１の円筒筐体の先端に取り付けられるキャップ１０２Ａの側面の断面図を図示している。
【００４４】
図９の顕微鏡本体２１において、顕微鏡本体２１の先端付近には、その円筒筐体の外周面上に、光軸方向にねじの切られた雄ねじ面７２ａが形成されている。この雄ねじ面７２ａは連続した面ではなく、その途中には、雄ねじ面７２ａよりも径が小さく、ねじの切られていない平面７２ｂが形成されている。
【００４５】
キャップ１０２Ａは、光軸方向の両端面が開口した中空円筒であって、その断面図に示すように、開口端面１１２ｃ側の内径寸法が、顕微鏡本体２１の円筒筐体の外周面の径よりも若干大きな径とされる。また、開口端面１１２ｂ側の内壁面には、顕微鏡本体２１の円筒筐体の外周面に形成された雄ねじ面７２ａに螺合する雌ねじ面１１２ａが形成されている。
【００４６】
このような形状を有しているので、顕微鏡本体２１の円筒筐体が内側、キャップ１０２Ａが外側になるように嵌め込んで、顕微鏡本体２１の外面に形成された雄ねじ面７２ａと、キャップ１０２の内面に形成された雌ねじ面１１２ａとを螺合させると、図１０に示すような状態となる。すなわち、キャップ１０２Ａを、顕微鏡本体２１に対して回転させることにより、雌ねじ面１１２ａが雄ねじ面７２ａを摺動して、キャップ１０２Ａの光軸方向の位置を変えることができるので、キャップ１０２Ａの開口端面１１２ｃと、顕微鏡本体２１の円筒筐体の先端面との光軸方向での位置調整が可能となる。このとき、平面７２ｃ，７２ｄによって、キャップ１０２Ａの光軸方向の移動が制限される。また、キャップ１０２Ａを回転させて光軸Ｌ１上を移動させると、平面７２ｂでは、一度、雌ねじ面１１２ａが雄ねじ面７２ａから外れることになるが、さらに移動させると、再度、雌ねじ面１１２ａと雄ねじ面７２ａとが螺合し、回転を再開させることが可能となる。つまり、キャップ１０２Ａを回転操作して、光軸方向を移動させることで、キャップ１０２Ａは、図１０ａの状態となった場合には観察状態となり、図１０ｂの状態となった場合には格納状態となる。
【００４７】
また、顕微鏡本体２１の円筒筐体に形成された雄ねじ面７２ａに螺合させるキャップ１０２は、上述した例に限らず、他の形状であってもよく、次に、図１１及び図１２を参照して、その形状の一例について説明する。
【００４８】
図１１ａは、先端に丸みを持った形状からなるキャップ１０２Ｂを、顕微鏡本体２１の円筒筐体に形成された雄ねじ面７２ａに螺合させた例を示している。この場合、キャップ１０２Ｂの先端部を標本Ｓに接触させた状態で、その先端部を支点として様々な方向に回転させながらの観察が可能となる。また、図示はしていないが、キャップ１０２Ｂを格納する際には、上述した原理と同様にして、キャップ１０２Ｂを回転操作して、平面７２ｃ側に移動させることで、格納状態とすることが可能である。
【００４９】
図１１ｂは、アーム部１１２ｄ1，１１２ｄ2が取り付けた先端面を有するキャップ１０２Ｃを、顕微鏡本体２１の円筒筐体に形成された雄ねじ面７２ａに螺合させた例を示している。キャップ１０２Ｃに設けられた２本のアーム部１１２ｄ1，１１２ｄ2の先端部のそれぞれが標本Ｓと接触することで、その標本面と、顕微鏡本体２１の先端面との距離を一定に保つことが可能となる。また、アーム部１１２ｄ1，１１２ｄ2は、その棒状の部位に、ばね等の弾性体を組み込み、関節の部位をボールジョイントとしているので、伸縮や屈曲が自在となっている。なお、アームの数は、２本に限らず、例えば３本とすることで、より安定して固定することが可能となる。また、図示はしていないが、キャップ１０２Ｃを格納する際には、上述した原理と同様にして、キャップ１０２Ｃを回転操作して、平面７２ｃ側に移動させることで、格納状態とすることが可能となる。
【００５０】
なお、図１１ｃに示すように、上述したねじ面の代わりに、キャップ１０２Ｄと、顕微鏡本体２１の円筒筐体の先端部との接触部分に磁石や磁性体を配置して、キャップ１０２Ｄの光軸方向の移動を制限してもよい。図１１ｃの例の場合、顕微鏡本体２１の円筒筐体の先端部にＳ極の磁石を、所定の間隔で３箇所に配置することで、Ｎ極の磁性体を有するキャップ１０２Ｄを３段階で固定できる。
【００５１】
また、ねじ面を形成する位置は、例えば、図１２に示すような関係であってもよい。すなわち、図１２ａに示すように、キャップ１０２Ｅには、外径の最も大きいその外周面に雄ねじ面１１２ｅが形成され、さらに、その内壁面の一部には、光軸Ｌ１を中心とした円状の溝１１２ｆが形成されている。また、顕微鏡本体２１の円筒筐体の外周面には、溝１１２ｆと嵌合する突起部７２ｇが設けられ、さらに、その外周面からＬ字型に突き出した部材の内壁面側に雄ねじ面１１２ｅとかみ合う雌ねじ面７２ｆが形成されている。
【００５２】
このような形状を有しているので、顕微鏡本体２１の円筒筐体が内側、キャップ１０２Ｅが外側になるように嵌め込んで、顕微鏡本体２１に形成された雌ねじ面７２ｆと、キャップ１０２Ｅの外面に形成された雄ねじ面１１２ｅとを螺合させると、図１２ｂに示すような状態となる。そして、キャップ１０２Ｅを、顕微鏡本体２１に対して回転させることにより、雄ねじ面１１２ｅが雌ねじ面７２ｆを摺動し、キャップ１０２Ｅを光軸Ｌ１上で移動させることが可能となる。また、このとき、キャップ１０２Ｅは、溝１１２ｆの範囲内でしか光軸方向に移動できない。
【００５３】
以上のように、第２実施例では、顕微鏡本体２１の円筒筐体とキャップ１０２の対向する面にねじ面を設けて螺合させて、キャップ１０２の回転操作によりそれらのねじ面を摺動し、キャップ１０２を光軸方向に移動させることで、観察状態と格納状態の両方の状態を実現している。
【００５４】
次に、図１３ないし図１７を参照して、第３実施例について説明する。
【００５５】
図１３には、第３実施例として、顕微鏡本体２１の右側面図と、顕微鏡本体２１の円筒筐体の先端に取り付けられるキャップ１０３Ａの側面図を図示している。
【００５６】
キャップ１０３Ａは、光軸方向の両端面が開口した中空円筒であって、開口端面１１３ｂ，１１３ｃ側の内径寸法が、顕微鏡本体２１の円筒筐体の外周面の径よりも若干大きな径とされ、顕微鏡本体２１の円筒筐体が内側、キャップ１０３Ａが外側になるように隙間嵌めすることにより、光軸方向に移動可能となるとともに、顕微鏡本体２１の円筒筐体の外周方向（図中の矢印Ａの方向）に摺動可能となる。
【００５７】
また、キャップ１０３Ａには、顕微鏡本体２１の円筒筐体の先端付近の外周面上に設けられた突起部７３ａを案内するガイド溝１１３ａが、略逆凹字型に形成されている。
【００５８】
図１４は、キャップ１０３Ａを顕微鏡本体２１に装着した状態の右側面図を示している。
【００５９】
図１４ａでは、キャップ１０３Ａは格納状態にあり、そこから観察状態にするためには、まず、キャップ１０３Ａを顕微鏡本体２１の対物レンズ６１側から見て時計回りに回転させる（図１４ａの矢印Ａの方向）。この回転操作を続けるとキャップ１０３Ａが顕微鏡本体２１の円筒筐体の外周面を摺動し、突起部７３ａがガイド溝１１３ａに突き当たるので、今度は、図１４ｂに示すように、キャップ１０３Ａを光軸方向に移動させて、突起部７３ａがキャップ１０３Ａに対して矢印Ｂの方向に移動するように、キャップ１０３Ａを移動させる。そして、この移動操作を続けると、再び突起部７３ａがガイド溝１１３ａに突き当たるので、今度は、キャップ１０３Ａを反時計回りに回転させる（図１４ｃの矢印Ｃの方向）。これにより、図１４ｃに示すように、キャップ１０３Ａは観察状態となる。なお、キャップ１０３Ａを、図１４ｃの観察状態から図１４ａの格納状態にするためには、上記の操作と逆の操作を行えばよい。
【００６０】
このように、図１４ａの格納状態と、及び図１４ｃの格納状態においては、ガイド溝１１３ａが制限となって、突起部７３ａの光軸方向の移動が制限され、結果として、キャップ１０３Ａの光軸方向の移動も制限されることになる。
【００６１】
なお、ガイド溝１０３ａの形状は、上述した略逆凹字型に限らず、図１５ａに示すように、他の形状であってもよい。図１５ａのガイド溝１１３ｄ，１１３ｅ，１１３ｆ，１１３ｇは、突起部７３ａの光軸方向の移動を制限する溝を少なくとも２つ以上有しており、それらの溝に突起部７３ａを移動させることで、観察状態と格納状態とを切り替えることができる。
【００６２】
また、図１５ｂに示すように、溝の先端の幅を狭くしたガイド溝１１３ｈによって突起部７３ａをしばり嵌めしたり、あるいは、広い幅と狭い幅の両方を有するガイド溝１１３ｉに沿って移動させる突起部７３ａを弾性体にすることで、その突起部７３が幅の狭い溝の部分に達した際にはその幅に合わせて縮むことにより、キャップ１０３Ａの光軸方向の移動を制限してもよい。また、図１５ｃのガイド溝１１３ｊ,１１３ｋのように、光軸方向の移動を制限する溝に段差を設けて、突起部７３ａを固定した位置から外れるのを防止してもよい。さらには、図１５ｄのガイド溝１１３ｌのように、溝の形状を直線状の形ではなく、円形や楕円形、あるいは螺旋状などの他の形状にしてもよい。
【００６３】
また、図１５ｅの顕微鏡本体２１とキャップ１０３Ｂとの接続部分の断面図に示すように、顕微鏡本体２１の円筒筐体に設けられた突起部７３ｂと、キャップ１０３Ｂのガイド溝との間に、ベアリング７３ｃを取り付けることにより、突起部７３ｂのガイド溝の移動を円滑にすることが可能となる。
【００６４】
さらに、図１５ｆのキャップ１０３Ｃのように、キャップ１０３Ｃに形成された四角形の溝の四隅に弾性体１１３ｍをそれぞれ配置し、それらの弾性体１１３ｍの弾性変形により、顕微鏡本体２１の円筒筐体に設けられた突起部７３ａを挟み込むことにより、キャップ１０３Ｃの光軸方向の移動を制限してもよい。
【００６５】
このように、キャップ１０３Ａに形成されるガイド溝１１３ａは、観察状態と格納状態の両状態を実現するために、少なくとも２箇所で、顕微鏡本体２１の円筒筐体に設けられた突起部７３ａを固定できるものであればよいのであって、その形状や材質は任意である。
【００６６】
また、図１６に示すように、弾性体からなる突起部７３ｄを、顕微鏡本体２１の円筒筐体の外周面上に設けて、この突起部７３ｄが、キャップ１０３Ｄに形成されたガイド溝１１３ｎ（図１６の断面Ａ，Ｂを有する）を移動するに際し、ガイド溝１１３ｎの形状に応じて傾くようにしてもよい。すなわち、図１６の顕微鏡本体２１の円筒筐体が内側、図１６のキャップ１０３Ｄが外側になるように隙間嵌めすると、図１７に示すような状態となる。図１７ｂの格納状態では、断面Ｄに示すように、ガイド溝１１３ｎ内で突起部７３ｄが直立しており、これにより、キャップ１０３Ｄの光軸方向の移動は制限されている。この状態で、キャップ１０３Ｄを光軸方向（図１７の上側）に沿って移動させると、図１７ａの断面Ｃに示すように、直立していた突起部７３ｄが、ガイド溝１１３ｎに沿って傾斜して移動することになる。このように、突起部７３ｄは、光軸方向の溝内では傾斜しながら光軸方向を移動し、光軸Ｌ１と垂直方向の溝、つまり、観察状態や格納状態では直立して、キャップ１０３Ｄの光軸方向の移動を制限する。
【００６７】
以上のように、第３実施例では、顕微鏡本体２１の円筒筐体が内側、その円筒筐体に設けられた所定の突起部を少なくとも２箇所で固定できるガイド溝を有するキャップ１０３が外側になるように隙間嵌めして、光軸方向に移動を制限することで、観察状態と格納状態の両方の状態を実現している。
【００６８】
次に、図１８及び図１９を参照して、第４実施例について説明する。
【００６９】
図１８は、第４実施例として、顕微鏡本体２１の右側面図と、その顕微鏡本体２１の円筒筐体の先端に取り付けられるキャップ１０４Ａの側面の断面図を図示している。
【００７０】
キャップ１０４Ａは、光軸方向の両端面が開口した中空円筒であって、開口端面１１４ｃ，１１４ｄ側の内径寸法が顕微鏡本体２１の円筒筐体の外周面の径よりも若干大きな径とされ、顕微鏡本体２１の円筒筐体が内側、キャップ１０４Ａが外側になるように隙間嵌めすることにより、光軸方向に移動可能となる。
【００７１】
キャップ１０４Ａの内壁面には、顕微鏡本体２１の円筒筐体の先端付近の外周面上に設けられた板ばね７４ａ（この例では直線上の板ばねをくの字型に変形させてばね性を持たせている）上に形成された突起部（図中の三角形の突起）に対応する形状を有する突起溝１１４ａ，１１４ｂが光軸方向に所定の間隔で並んで形成されている。また、キャップ１０４Ａのラジアル方向の回転を制限する目的で、キャップ１０４Ａの内壁面には、顕微鏡本体２１の円筒筐体の左右の側面に形成されたコの字型の嵌合溝７４ｂに沿って摺動する突起部１１４ｅが形成されている。
【００７２】
すなわち、顕微鏡本体２１の円筒筐体が内側、キャップ１０４Ａが外側になるように隙間嵌めし、さらに、板ばね７４ａの突起部と、突起溝１１４ａ（又は突起溝１１４ｂ）とを嵌め合わせるとともに、円筒筐体の両側面に形成された嵌合溝７４ｂと、対応する突起部１１４ｅとを嵌合させると、図１９に示すような状態となる。この状態において、キャップ１０４Ａは、顕微鏡本体２１の円筒筐体の外周面上を摺動して光軸方向の移動が可能となるので、図１９ａに示すように、板ばね７４ａの突起部を、突起溝１１４ａに嵌合させて光軸方向の移動を制限することで、観察状態となる。また、図１９ｂに示すように、板ばね７４ａの突起部を突起溝１１４ａに嵌合させた場合には、キャップ１０４Ａは格納状態となる。
【００７３】
なお、嵌合溝７４ｂと突起部１１４ｅを設けない場合であっても、板ばね７４ａと突起溝１１４ａ，１１４ｂにより、キャップ１０４Ａの光軸方向の移動を制限することは可能であるので、嵌合溝７４ｂと突起部１１４ｅは必須の構成ではない。
【００７４】
また、キャップ１０４Ａの内壁面に形成される突起溝の数を増やすことで、キャップ１０４の光軸方向の移動の調整範囲を広げることが可能となる。さらに、キャップ１０４Ａの光軸方向の形状を、円形とは異なる他の形状、すなわち、例えば楕円形や三角形、四角形などとすることにより、キャップ１０４Ａのラジアル方向の回転を制限する必要がなくなる。
【００７５】
以上のように、第４実施例では、顕微鏡本体２１の円筒筐体が内側、その円筒筐体に設けられた所定の突起部を固定する複数の溝を有するキャップ１０４が外側になるように隙間嵌めして、光軸方向の移動を制限することで、観察状態と格納状態の両方の機能を実現している。
【００７６】
なお、第１実施例ないし第４実施例で説明したキャップ１０１，１０２，１０３，１０４であるが、その形状及び材質は、本発明を限定するものではない。例えば、それらのキャップは、透明な素材、フッ化炭素樹脂等の電気絶縁材料若しくは耐熱性材料、磁性体、非磁性体などから形成される。また、それらのキャップの標本Ｓと接触する側の端面には、例えば、ゴムなどの滑り止めや、標本Ｓが金属である場合に固定できるように磁性体を設けてもよい。さらに、キャップ内部に、遮光板を設けて、外部の光を遮るようにしてもよい。
【００７７】
次に、図２０ないし図２３を参照して、第５実施例について説明する。
【００７８】
図２０には、第５実施例として、顕微鏡本体２１の正面図、右側面図、及び下面図を図示している。図２０に示すように、顕微鏡本体２１の円筒筐体の外周面上には、支持部材１０５Ａが配設されている。
【００７９】
支持部材１０５Ａは、アーム部１１５ａ，１１５ｂ，１１５ｃから構成され、図２０の下面図に示すように、逆Ｌ字型の形状を有するアーム部１１５ａの内壁面と、顕微鏡本体２１の円筒筐体の右側面との間には回転軸１１５ｄが固定されており、この回転軸１１５ｄは、アーム部１１５ｂに形成された貫通穴を貫通し、アーム部１１５ｂと嵌合している。回転軸１１５ｄには、所定のトルクがかけられており、アーム部１１５ｂは回転軸１１５ｄを支点として回転自在となる。アーム部１１５ｂにはまた、回転軸１１５ｄと嵌合している端とは反対側の端に、回転軸１１５ｅが固定されており、この回転軸１１５ｅは、アーム部１１５ｃに形成された貫通穴を貫通し、アーム部１１５ｃと嵌合している。回転軸１１５ｅには、回転軸１１５ｄと同様に、所定のトルクがかけられており、この回転軸１１５ｅを支点にして、アーム部１１５ｃが回転自在となっている。
【００８０】
すなわち、回転軸１１５ｄを支点にしてアーム部１１５ｂを回転させ、さらに、回転軸１１５ｅを支点にしてアーム部１１５ｃを回転させると、支持部材１０５Ａは、図２１ａに示すような観察状態となる。この観察状態では、アーム部１１５ｃの先端部を標本Ｓと接触させることにより、標本Ｓに対して顕微鏡本体２１を固定することが可能となる。また、同様にして、アーム部１１５ｂ，１１５ｃを、回転軸１１５ｄ，１１５ｅを支点にして回転させて、図２１ｂの状態にすると、支持部材１０５Ａは格納状態となる。
【００８１】
なお、回転軸１１５ｄ，１１５ｅには、上記の通り、所定のトルクがかけられているため、嵌合しているアーム部１１５ｂ，１１５ｃを任意の角度に固定した状態で、顕微鏡本体２１を支持することが可能となる。これにより、アーム部１１５ｂ，１１５ｃの角度を調整しながら、標本Ｓへの焦点合わせをすることができる。
【００８２】
また、アーム部１１５ａ，１１５ｂ，１１５ｃから構成される例について説明したが、アーム部１１５ａ，１１５ｂだけを設けて、アーム部１１５ｂの先端部が標本Ｓと接触するようにしてもよいし、アーム部１１５ｃ対してさらに別の回転軸を設けて、不図示のアーム部を増設することも可能である。また、アーム部１１５ａは、顕微鏡本体２１の円筒筐体の側面に配設する必要はなく、さらに、回転軸の代わりに、ボールジョイント等の部材によりアーム部を接続してもよい。また、標本Ｓと接触するアーム部１１５ｃの先端部に磁石を取り付けることで、標本Ｓとして、金属を観察する場合には、その金属と先端部とが引き合って安定した状態で観察できるようにしてもよい。なお、本実施の形態は、上述した、姿勢保持部材が切り替え部材を兼ねているケースである。
【００８３】
また、顕微鏡本体２１を支持する支持部材１０５は、上述した例に限らず、他の形態であってもよく、次に、図２２及び図２３を参照して、その形態の一例について説明する。
【００８４】
図２２の支持部材１０５Ｂにおいては、上円板１１５ｆ1と下円板１１５ｆ2とからなる円板１１５ｆのうち、上円板１１５ｆ1が蝶番１１５ｇ1により、下円板１１５ｆ2が蝶番１１５ｇ2により、それぞれ、顕微鏡本体２１の円筒筺体に固定される。また、蝶番１１５ｇ1，ｇ2には所定のトルクがかけられており、上円板１１５ｆ1，下円板１１５ｆ2を任意の角度で固定できるので、図２２ａに示すように、円板１１５ｆによって顕微鏡本体２１のレンズ面側を覆ったり、図２２ｂに示すように、顕微鏡本体２１の円筒筐体側に上円板１１５ｆ1，下円板１１５ｆ2を固定すること可能となる。
【００８５】
すなわち、蝶番１１５ｇ1，ｇ2によって、上円板１１５ｆ1，下円板１１５ｆ2を任意の角度で固定して、図２３ａ，図２３ｂの状態とすることで、支持部材１０５Ｂは、観察状態となる。一方、図２３ｃ（図２２ｂ）の状態とすることで、支持部材１０５Ｂは、格納状態となる。なお、支持部材１０５Ｂは、図２２ａの格納状態としたときには、レンズキャップとしても機能することになる。
【００８６】
なお、上述した例では、円板１１５ｆを、上円板１１５ｆ1，下円板１１５ｆ2の２枚に分割して、それらを蝶番１１５ｇ1，ｇ2により円筒筐体に固定するとして説明したが、分割枚数は、２枚以上であればよく、その数に応じた蝶番１１５ｇにより円筒筐体に固定するようにしてもよい。また、上述した例では、円板１１５ｆを一例にして説明したが、その形状は、他の形状であってもよく、例えば、それぞれが顕微鏡本体２１の円筒筐体の先端面内に収まる半径を有する２枚の小さな円板を、蝶番１１５ｇ1，ｇ2により円筒筐体に固定してもよい。
【００８７】
以上のように、第５実施例では、顕微鏡本体２１の円筒筐体に配設された支持部材１０５を構成する所定の部材を、観察状態では標本Ｓと接触可能な位置に移動させ、格納状態では円筒筐体側に格納することで、観察状態と格納状態の両方の状態を実現している。
【００８８】
最後に、図２４ないし図２９を参照して、第６実施例について説明する。
【００８９】
図２４は、第６実施例として、顕微鏡本体２１の右側面図と、その顕微鏡本体２１の円筒筐体の側面に配設されるスペーサ保持部７６ａに取り付けられるスペーサ１０６Ａの側面図を図示している。
【００９０】
スペーサ１０６Ａは、光軸方向に伸びた丸棒の中心付近を、顕微鏡本体２１の円筒筐体の先端面の径よりも大きな径を有する円となるように、光軸Ｌ１に垂直な面で円形に曲げた後、再度、光軸方向に伸ばした形状を有している。この丸棒には、光軸方向に沿って、溝１１６ａ1，１１６ａ2，１１６ａ3，１１６ａ4が形成されている。一方、顕微鏡本体２１側には、スペーサ１０６Ａを形成する丸棒の直径よりも若干大きな径を有する挿通孔７６ｂが形成されたスペーサ保持部７６ａが配設されている。また、この挿通孔７６ｂには、クリック７６ｃが設けられている。クリック７６ｃは、例えば、溝１１６ａ1ないし１１６ａ4に対応した形状を有する突起部を取り付けた板ばねにより構成される。なお、図２４の例では、円筒筐体の右側面に設けられた挿通孔７６ｂのみを図示しているが、実際には、スペーサ１０６Ａの形状（２本の丸棒）に対応して、左側面にも同様の挿通孔７６ｂとクリック７６ｃが設けられている。
【００９１】
したがって、スペーサ１０６Ａの光軸方向に伸びる２本の丸棒のそれぞれを、スペーサ保持部７６ａの２つの挿通孔７６ｂに挿通させることで、スペーサ１０６Ａは、スペーサ保持部７６ａの挿通孔７６ｂを摺動し、光軸方向に移動可能となる。このとき、スペーサ１０６Ａの溝１１６ａ1ないし１１６ａ4と、クリック７６ｃの突起部とが嵌合する位置では、クリック７６ｃを構成する板ばねの弾性力により光軸方向の移動が制限されることになる。
【００９２】
これにより、スペーサ１０６Ａの円形の先端面と、顕微鏡本体２１の円筒筐体の先端面との位置関係を４段階に切り替えることが可能となるので、図２５ｂに示すような、溝１１６ａ2ないし１１６ａ4のいずれかが、クリック７６ｃにより光軸方向の移動を制限されている場合、スペーサ１０６Ａは観察状態となる。一方、図２５ａに示すような、溝１１６ａ1が、クリック７６ｃにより光軸方向の移動を制限されている場合には、スペーサ１０６Ａは格納状態となる。
【００９３】
なお、図２６ａのスペーサ１０６Ｂにおいては、標本Ｓと接触する先端面の光軸方向に伸びる丸棒の根元部分には、ボールジョイント等からなる回転機構部１１６ｂが設けられており、このような構成を採用することで、標本Ｓの斜面を観察したり、あるいは、回転機構部１１６ｂを支点にして回転させながら観察することが可能となる。また、図２６ｂのスペーサ１０６Ｃは、標本Ｓと接触する円形の先端面を設けずに、光軸方向を単独に移動する２本の丸棒から構成したものであり、この場合、例えばＬ字型の標本Ｓを観察するときには、一方の丸棒では溝１１６ａ4、他方の丸棒では溝１１６ａ3を、それぞれクリック７６ｃにより固定することで、段差のある標本Ｓでも観察することが可能となる。
【００９４】
さらに、図２７ａに示すような、光軸方向に沿って伸縮自在な部材をスペーサ１０６Ｄとして、顕微鏡本体２１の円筒筐体の外周面上に取り付けて、その伸縮に応じて観察状態と格納状態と切り替えてもよい。また、図２７ｂのスペーサ１０６Ｅのように、光軸方向に沿って、所定の高さからなる鋸刃状の凹凸の山を所定のピッチで形成し、さらに、顕微鏡本体２１の円筒筐体に配設されるスペーサ保持部７６ｄの挿通孔内にも対応する鋸刃状の凹凸の山を形成することにより、スペーサ１０６Ｅの光軸方向の移動を制限してもよい。
【００９５】
また、スペーサ１０６の光軸方向の移動を制限する方法は、上述した突起溝と突起部を設ける方法に限らず、他の方法であってもよく、次に、図２８及び図２９を参照して、その一例について説明する。
【００９６】
図２８に示すように、スペーサ１０６Ｆは、図２４のスペーサ１０６Ａと基本的に同様の形状を有しているが、光軸方向に伸びた２本の丸棒の略中心となる位置に、その丸棒の径よりも大きな径を有する円板１１６ｃがそれぞれ取り付けてある。一方、顕微鏡本体２１側には、スペーサ１０６Ｆの丸棒に取り付けられた円板１１６ｃと略同一の径を有する貫通孔７６ｆが形成されたスペーサ保持部７６ｅが配設されている。また、このスペーサ保持部７６ｅに形成されているねじ穴には、光軸Ｌ１と垂直な方向に移動可能なねじ部７６ｇが螺合されており、そのねじ部７６ｇの先端部は貫通孔７６ｆ内に達している。なお、図２８の例では、円筒筐体の右側面に設けられた貫通孔７６ｆのみを図示しているが、実際には、スペーサ１０６Ｆの形状（２本の丸棒）に対応して、左側面にも同様の貫通孔７６ｆとねじ部７６ｇが設けられている。
【００９７】
スペーサ１０６Ｆの光軸方向に伸びる２本の丸棒のそれぞれを、スペーサ保持部７６ｅの２つの貫通孔７６ｆに貫通させて嵌め合わせると、図２９に示すような状態となる。すなわち、貫通孔７６ｆ内で光軸方向に移動可能となるスペーサ１０６Ｆにおいて、円板１１６ｃを境界にして貫通穴７６ｉ側の丸棒にはばね７６ｈが巻かれ、その反対側の丸棒にはねじ部７６ｇの先端部が接触可能となっている。したがって、ねじ部７６ｇを矢印Ａ方向に移動させることにより、スペーサ１０６Ｆの光軸方向の移動を制限できる。また、貫通孔７６ｆの内壁面と、円板１１６ｃの周方向の面とは当接しているため、空気を通さない。一方、貫通穴７６ｉは、スペーサ１０６Ｆの丸棒の径よりも大きな径を有しているため、この貫通穴７６ｉからは空気の出入りがある。
【００９８】
図２９ｂの格納状態の場合、ねじ部７６ｇによって、スペーサ１０６Ｆの光軸方向の移動が制限されているので、スペーサ１０６Ｆの円形の先端面を、顕微鏡本体２１の円筒筐体の先端面よりも内部に格納できる。この状態では、ばね７６ｈは矢印Ｃの方向に圧縮されているため、矢印Ｃの逆方向の復元力を有している。図２９ｂの状態において、ねじ部７６ｇを矢印Ａの逆方向に移動させると光軸方向の制限が外れるので、スペーサ１０６Ｆは、ばね７６ｈの復元力によって矢印Ｃの逆方向への移動を開始する。このとき、空気が貫通穴７６ｉと丸棒との隙間からスペーサ保持部７６ｅの内部に吸引される。したがって、貫通穴７６ｉの隙間をより小さくすることで、貫通孔７６ｆ内に吸い込める空気の量は少なくなり、その結果、空気がダンパとして働き、スペーサ１０６Ｆの光軸方向の移動は緩やかなものとなる。そして、図２９ａに示すように、ばね７６ｈが矢印Ｂの方向に伸びきると、スペーサ１０６Ｆの移動は停止する。この状態で、ねじ部７６ｇによりスペーサ１０６Ｆを固定すれば、観察状態となる。
【００９９】
また、図２９ａの状態から、スペーサ１０６Ｆを矢印Ｂの逆方向に移動させると、再びばね７６ｈは圧縮されていく。このとき、貫通孔７６ｆ内の空気は、貫通穴７６ｉと丸棒との隙間から排出される。上記の通り、この隙間を小さくすることで、排出される空気の量は少なくなり、空気がダンパとして働き、スペーサ１０６Ｆの矢印Ｃの方向の移動は緩やかなものとなる。なお、上記の原理により、焦点の合った位置で、ねじ部７６ｇによりスペーサ１０６Ｆを固定することで、焦点の合った位置を保つことが可能となる。
【０１００】
以上のように、第６実施例では、顕微鏡本体２１の円筒筐体に対して、光軸方向に移動可能に取り付けられたスペーサ１０６を、観察状態では標本Ｓと接触可能な位置に移動させ、格納状態では円筒筐体側に格納することで、観察状態と格納状態の両方の状態を実現している。
【０１０１】
なお、本実施の形態では、顕微鏡本体２１は、グリップ３３が無い、例えば単なる円筒形状など、その形状は他の形状であってもよい。また、顕微鏡本体２１は、図１に示したように、スタンド２２に着脱可能なものでなくてもよく、顕微鏡本体２１単独でのみ使用するものであってもよい。
【０１０２】
また、本発明の実施の形態は、上述した実施の形態に限定されるものではなく、本発明の要旨を逸脱しない範囲において種々の変更が可能である。
【符号の説明】
【０１０３】
１１  顕微鏡，  １２  モニタ，  ２１  顕微鏡本体，  ２２  スタンド，  ３１  本体部，  ３２  表示操作部，  ３３  グリップ，  ４１  撮像ボタン，  ６１  対物レンズ，  ６２ａないし６２ｄ  ズームレンズ，  ６３  結像レンズ，  ６４  撮像素子，  ６５  LED，  １０１，１０２，１０３，１０４  キャップ，  １０５  支持部材，  １０６  スペーサ，  Ｓ  標本，  Ｌ１  光軸
【図１】
2011022298.tif 000003
【図２】
2011022298.tif 000004
【図３】
2011022298.tif 000005
【図４】
2011022298.tif 000006
【図５】
2011022298.tif 000007
【図６】
2011022298.tif 000008
【図７】
2011022298.tif 000009
【図８】
2011022298.tif 000010
【図９】
2011022298.tif 000011
【図１０】
2011022298.tif 000012
【図１１】
2011022298.tif 000013
【図１２】
2011022298.tif 000014
【図１３】
2011022298.tif 000015
【図１４】
2011022298.tif 000016
【図１５】
2011022298.tif 000017
【図１６】
2011022298.tif 000018
【図１７】
2011022298.tif 000019
【図１８】
2011022298.tif 000020
【図１９】
2011022298.tif 000021
【図２０】
2011022298.tif 000022
【図２１】
2011022298.tif 000023
【図２２】
2011022298.tif 000024
【図２３】
2011022298.tif 000025
【図２４】
2011022298.tif 000026
【図２５】
2011022298.tif 000027
【図２６】
2011022298.tif 000028
【図２７】
2011022298.tif 000029
【図２８】
2011022298.tif 000030
【図２９】
2011022298.tif 000031